(57)【要約】      （修正有）【課題】時計筐体が１部品で形成されて部品点数の低減化が可能な照明付き掛け時計を提供する。【解決手段】時計周縁部の見返し部分にＬＥＤ６を備えた照明付き掛け時計において、前板３とこの前板３の外周にリング状胴部４を一体に形成して時計筐体２を構成し、前板３は、背面側へ突設される時計機械体などの収納部５を一体に備え、リング状胴部４は、ＬＥＤ６を配置する箇所に、当該胴部４を前後方向に押し切り形成される通孔を設け、収納部５には、少なくともムーブメントＭ、電池及びＬＥＤ作動用の回路部を収納し、リング状胴部４の通孔の箇所にはＬＥＤ６を配置し、ＬＥＤ６と回路部を導通するワイヤを、通孔を挿通して配線し、前板３には文字板１０、指針１１、前面ガラス１２、外周枠１３を装着した。【選択図】図６
2016061639.tif 000002
【特許請求の範囲】
【請求項１】
時計周縁部の見返し部分にＬＥＤを時計中心部に向けて配置し、前記ＬＥＤにより指針や文字板を照明する照明付き掛け時計において、
前板とこの前板の外周にリング状胴部を一体に形成して時計筐体を構成し、
前記前板は、背面側へ突設される時計機械体などの収納部を一体に備え、
前記リング状胴部は、前記ＬＥＤを配置する箇所に、当該胴部を前後方向に押し切り形成される通孔を設け、
前記収納部には、少なくともムーブメント、電池及び前記ＬＥＤ作動用の回路部を収納し、
前記リング状胴部の前記通孔の箇所には前記ＬＥＤを配置し、
前記ＬＥＤと前記回路部を導通するワイヤを、前記通孔を挿通して配線し、
前記前板の正面側には文字板、指針、前面ガラス及び外周枠を装着したことを特徴とする照明付き掛け時計。
【請求項２】
前記請求項１において、前記収納部は、上下方向に細長く形成され、この収納部の上部に掛け穴が形成されるとともに、上部及び下部に各２箇所、背面側へ突出する突部を設けていることを特徴とする照明付き掛け時計。
【発明の詳細な説明】
【技術分野】
【０００１】
本発明は、時計の指針や文字板が照明される照明付き掛け時計に関する。
【背景技術】
【０００２】
照明付き時計として、ＬＥＤなどの発光体を時計の指針軸内に装着するもの（特許文献１）、文字板の背後に発光体を設けるもの（特許文献２）、文字板の外周の適所に発光体を設けるもの（特許文献３）などが知られている。
【０００３】
これらのうち、時計周縁部の見返し部分にＬＥＤを配置し、このＬＥＤからの光を時計中心部に向けて照射して、指針や文字板を照明する照明付き掛け時計が、照明効率において良好であることが知られている。
【０００４】
時計周縁部の見返し部分にＬＥＤを配置する照明付き掛け時計は、光スイッチとして例えばトランジスタセンサを備え、周囲が暗くなるとトランジスタセンサがオンして、ＬＥＤが発光し、指針や文字板を照明するように構成されている。
【０００５】
また、ＬＥＤを装着する場合の時計の筐体パーツとしては、ガラスを備えたフロントフレームと、見返しを兼ねたフロントケースが配置される。フロントケースには文字板が装着され、このフロントケースの見返し部分に、ＬＥＤを直接、或いはＬＥＤに透明な拡散板を設けて装着し、そしてフロントケースの背後から比較的大きなバックケースを取付けて、ＬＥＤ部分を隠すように構成されているのが一般的である。
【０００６】
尚、ムーブメントや電池、回路基板などは、フロントケースの背面側において当該フロントケース或いはバックケースに取付けられている。
【先行技術文献】
【特許文献】
【０００７】
【特許文献１】特許第２５７２０７６号公報
【特許文献２】特開２００６−２７５７０３号公報
【特許文献３】特許第３６３１０８１号公報
【発明の概要】
【発明が解決しようとする課題】
【０００８】
このように、この種の照明付き時計においては、ＬＥＤ点灯照射による点灯機能を保持するためには、フロントケースとバックケースの２部品を要するものである。従来より、掛け時計のような比較的大型の照明付き時計において、部品点数の低減化が望まれており、照明付き掛け時計の場合も同様である。
【０００９】
本発明は、上記事情に鑑みてなされたもので、ＬＥＤを備えた照明付き時計において、ＬＥＤ点灯照射による点灯機能を保持するにつき、上記２部品を１部品とすることが可能な照明付き掛け時計を提案するものである。
【００１０】
そして、上述した２部品を１部品とした場合に、ＬＥＤは当該１部品の正面側の見返し部分に設けられることとなるが、そうすると電池や回路基板との関係上、ケーブルをどのようにして当該１部品の背面側へ引きまわすのかの問題が生じ得る。本発明は、このＬＥＤケーブルの引きまわしに関する問題についても、合理的な構造を採用することにより、解決することが可能な照明付き掛け時計を提案するものである。
【課題を解決するための手段】
【００１１】
本願第１請求項に記載した発明は、実施例で用いた符号を付して記すと、時計周縁部の見返し部分にＬＥＤ６を時計中心部に向けて配置し、ＬＥＤ６により指針１１や文字板１０を照明する照明付き掛け時計１において、
前板３とこの前板の外周にリング状胴部４を一体に形成して時計筐体２を構成し、
前板３は、背面側へ突設される時計機械体などの収納部５を一体に備え、
リング状胴部４は、ＬＥＤ６を配置する箇所に、当該胴部を前後方向に押し切り形成される通孔４ａを設け、
収納部５には、少なくともムーブメントＭ、電池７及びＬＥＤ作動用の回路部８を収納し、
リング状胴部４の通孔４ａの箇所にはＬＥＤ６を配置し、
ＬＥＤ６と回路部８を導通するワイヤ９を、通孔４ａを挿通して配線し、
前板３の正面側には文字板１０、指針１１、前面ガラス１２及び外周枠１３を装着したことを特徴とする照明付き掛け時計である。
【００１２】
本願第２請求項に記載した発明は、請求項１において、収納部５は、上下方向に細長く形成され、この収納部５の上部に掛け穴５ａが形成されるとともに、上部及び下部に各２箇所、背面側へ突出する突部５ｂ，５ｂを設けていることを特徴とする照明付き掛け時計である。
【発明の効果】
【００１３】
本願第１請求項に記載した発明において、収納部５には、少なくともムーブメント６、電池７及びＬＥＤ作動用の回路部８が収納されて、その正面側には文字板１０が装着される。リング状胴部４には、押し切り形成にて通孔４ａが設けられるので、この部位にＬＥＤ６が配置されるとともに、当該通孔４ａにＬＥＤ６のワイヤ９が挿通されて配線される。このようにして、従来のように別途に設けられていたバックケースを必要としないから、時計筐体２は１部品で形成されて、部品点数を低減化することが可能となる。
【００１４】
更に、本発明において、前板３の正面側には文字板１０が装着され、その外周のリング状胴部４にＬＥＤ６が配置されることとなり、ＬＥＤ６のワイヤ９を前板３の背面へ如何にして引きまわすかの点についても、リング状胴部４に通孔４ａが設けられているので、この通孔４ａにＬＥＤ６のワイヤ９を挿通させることにより、ワイヤ９の合理的な引きまわし構造を実現することができるものである。
【００１５】
本願第２請求項に記載した発明において、収納部５は、上下方向に細長く形成されるので、本願の掛け時計１を例えば柱などの比較的横幅の小さい個所に安定的に掛け止め設置することができる。とりわけ、本願の掛け時計１を和室に用いる場合に、和室用の細い柱にも安定的に設置することができる。
【００１６】
また、上部及び下部の各２箇所に、背面側へ突出する突部５ｂを設けているので、これらの突部５ｂが柱や壁面などの設置面に当接して、収納部５と当該設置面との間に空隙を設けることができる。これにより両者が面接触して、経時的な現象として生じ得る接着などの不都合を回避することが可能となる。更に、上部２箇所と下部２箇所の間隔をある程度大きく設けることにより、本願の掛け時計を安定的に設置することもできる。
【００１７】
このように、本願発明によれば、時計筐体は１部品で形成されて、部品点数を低減化することができ、また、このように１部品で形成されても、リング状胴部に通孔が設けられているので、ＬＥＤのワイヤの合理的な引きまわし構造を実現することができるなどの顕著な作用効果を奏するものである。
【図面の簡単な説明】
【００１８】
【図１】本発明の実施例に係り、照明付き掛け時計の正面図である。
【図２】本発明の実施例に係り、照明付き掛け時計の背面図である。
【図３】本発明の実施例に係り、照明付き掛け時計の側面図である。
【図４】本発明の実施例に係り、照明付き掛け時計の縦断側面図である。
【図５】本発明の実施例に係り、照明付き掛け時計の横断平面図である。
【図６】本発明の実施例に係り、照明付き掛け時計を示す分解斜視図である。
【図７】本発明の実施例に係り、図６のリング状胴部における通孔の箇所を示す拡大図である。
【発明を実施するための形態】
【００１９】
以下に、本発明の実施例を図面に基づいて説明する。本例の掛け時計１は、時計周縁部の見返し部分にＬＥＤ６を時計中心部に向けて配置し、ＬＥＤ６により指針１１や文字板１０を照明する照明付き掛け時計である。
【００２０】
更に、掛け時計１は、前板３とこの前板の外周にリング状胴部４を一体に形成して時計筐体２を構成している。
【００２１】
時計筐体２の前板３は、背面側へ突設される、時計機械体などの収納部５を一体に備える。この収納部５には、少なくともムーブメントＭ、電池７及びＬＥＤ作動用の回路部８を収納する。
【００２２】
そして、前板３の正面側には文字板１０、指針１１、前面ガラス１２及び外周枠１３を装着する。尚、符号１４は円環状の鍔部で、前板３のリング状胴部４内周側に一体に形成される。
【００２３】
また、リング状胴部４は、時計周縁部の見返し部分を構成するもので、ここにＬＥＤ６を設ける。そして、ＬＥＤ６を配置する箇所に、当該胴部を前後方向に押し切り形成される通孔４ａを設ける。つまり、リング状胴部４の通孔４ａの箇所にＬＥＤ６を配置する。尚、６ａは、透明な拡散板であり、ＬＥＤ光を拡散する。本例では、拡散板６ａを設けたＬＥＤ６を、時計の１２時と６時に対応する個所に配置している。
【００２４】
上記のように、前板３の正面側には文字板１０が装着され、この文字板１０の外周側のリング状胴部４にＬＥＤ６が設けられる。従って、ＬＥＤ６のワイヤ９を、文字板１０で隔てられた収納部５の、ＬＥＤ作動用の回路部８に如何に引きまわすかに工夫を要することになる。この点、本例では、ＬＥＤ６と回路部８を導通するワイヤ９を、通孔４ａを挿通して配線することにより、実施可能としている。
【００２５】
本例では、リング状胴部４に押し切り形成にて通孔４ａが設けられるので、この部位にＬＥＤ６が配置されて、当該通孔４ａにＬＥＤ６のワイヤ９が挿通されて配線される。このようにして、従来別途に設けられていたバックケースを必要としないから、つまり前述したように、時計筐体２は１部品で形成されて、部品点数を低減化することが可能となる。更に、通孔４ａにＬＥＤ６のワイヤ９を挿通させることにより、ワイヤ９の合理的な引きまわし構造を実現することができることになる。
【００２６】
また、収納部５は、上下方向に細長く形成され、この収納部５の上部に掛け穴５ａが形成されるとともに、上部及び下部に各２箇所、背面側へ突出する突部５ｂ，５ｂを設けている。
【００２７】
収納部５は、上下方向に細長く形成されるので、掛け時計１を例えば柱などの比較的横幅の小さい個所に安定的に掛け止め設置することができる。一般に、和室用の柱は細いものが多くあり、よって掛け時計１を和室に用いる場合に、和室用の細い柱にも安定的に設置することができる。
【００２８】
また、上部及び下部の各２箇所に、背面側へ突出する突部５ｂを設けていると、これらの突部５ｂが柱や壁面などの設置面に当接して、収納部５と当該設置面との間に空隙を設けることができる。これにより両者が面接触して、経時的な現象として生じ得る接着などの不都合を回避することが可能となる。更に、上部２箇所と下部２箇所との間隔をある程度大きく設けることにより、本願の掛け時計を安定的に設置することもできる。
【００２９】
以上のように、本例の掛け時計１によれば、時計筐体は１部品で形成されて、部品点数を低減化することができ、また、このように１部品で形成されても、リング状胴部に通孔が設けられているので、ＬＥＤのワイヤの合理的な引きまわし構造を実現することができるなどの優れた利点を有するものである。
【産業上の利用可能性】
【００３０】
本発明の照明付き掛け時計は、部品点数の低減化に優れたものであり、壁掛け時計、和室用の掛け時計として好適に利用することができる。
【符号の説明】
【００３１】
１    掛け時計
２    時計筐体
３    前板
４    リング状胴部
４ａ    通孔
５    収納部
５ａ    掛け穴
５ｂ    突部
６    ＬＥＤ
６ａ    拡散板
７    電池
８    回路部
９    ワイヤ
１０    文字板
１１    指針
１２    前面ガラス
１３    外周枠
１４    鍔部
Ｍ    ムーブメント
【図１】
2016061639.tif 000003
【図２】
2016061639.tif 000004
【図３】
2016061639.tif 000005
【図４】
2016061639.tif 000006
【図５】
2016061639.tif 000007
【図６】
2016061639.tif 000008
【図７】
2016061639.tif 000009